(57)【要約】【課題】遊技盤の非遊技領域の前方に取り付けられる電気部品の交換作業を容易に行い得る電気部品の取付構造を提供する。【解決手段】前面に遊技領域が形成された遊技盤３０を後方から収容保持する前枠２に、遊技盤２０の非遊技領域の前方に位置してレール飾りを取着する部品取付部２２を設け、この部品取付部２２を前後貫通するコネクタ導入孔を形成する。コネクタ導入孔は、ケーブル側コネクタ部材５６ｃの短辺寸法よりもわずかに大きく長辺寸法よりも小さいスリット幅で、長辺寸法よりも大きなスリット長さに形成され、ケーブル側コネクタ部材の傾き方向をコネクタ導入孔におけるスリットの形成方向に合わせてスリット幅方向の中心を通過させた場合に限りケーブル側コネクタ部材がコネクタ導入孔を前後に挿通可能に構成される。【選択図】図１０
2008136879.tif 000002
【特許請求の範囲】
【請求項１】
前面側に遊技領域と非遊技領域とが区画形成された遊技盤と、
前記遊技盤の外形寸法に合わせて後方に立設され前記遊技盤の外周を囲む側枠部、および前記側枠部から内側に張出されて前記非遊技領域の前面を支持する前方枠部からなる遊技盤収容部を有し、前記遊技盤を後方から収容して前記遊技領域を前方に臨ませる前枠と、
前記前方枠部の前面側に着脱可能に取り付けられる電気部品と、
前記遊技盤の後方に設けられて前記電気部品を作動させる制御装置と、
ケーブルの端部に設けられたケーブル側コネクタ部材と前記電気部品に設けられた部品側コネクタ部材との嵌合により一端が前記電気部品に嵌脱自在にコネクタ接続され、他端側が前記制御装置に電気接続されるコネクタケーブルとを備えた遊技機において、
前記ケーブル側コネクタ部材及び前記部品側コネクタ部材は、嵌合軸と直交する断面形状が矩形であり、
前記前方枠部に、前記ケーブル側コネクタ部材の短辺寸法よりもわずかに大きく長辺寸法よりも小さいスリット幅で、長辺寸法よりも大きなスリット長さのコネクタ導入孔が前記前方枠部を前後に貫通して開口形成されて、前記ケーブル側コネクタ部材における前記矩形の傾き方向を前記コネクタ導入孔におけるスリットの形成方向に合わせて前記スリット幅方向の中心を通過させた場合に限り前記ケーブル側コネクタ部材が前記コネクタ導入孔を前後に挿通可能に構成され、
前記ケーブル側コネクタ部材が前記コネクタ導入孔の前方に引き出された状態で前記コネクタケーブルが後方に移動したときに、前記ケーブル側コネクタ部材が前記コネクタ導入孔の周辺部と係合して前記コネクタケーブルの後方への抜け落ちが規制されるように構成したことを特徴とする遊技機用電気部品の取付構造。
【請求項２】
前記部品側コネクタ部材は、前記ケーブル側コネクタ部材と前後方向に嵌脱自在な取り付け姿勢で前記電気部品の後面側に設けられ、
前記コネクタ導入孔は、前記部品側コネクタ部材の背後に位置する前記前方枠部に前記部品側コネクタ部材の取付位置及び前記矩形の傾き方向に合わせて開口形成され、
前記前方枠部の前面側に前記電気部品が取り付けられた状態において、前記部品側コネクタ部材の長辺側の側面が前記コネクタ導入孔の開口縁面に支持されるように構成したことを特徴とする請求項１に記載の遊技機用電気部品の取付構造。
【発明の詳細な説明】
【技術分野】
【０００１】
本発明は、基盤の前面側に遊技領域と非遊技領域とが区画形成された遊技盤と、この遊技盤を後方から収容保持する遊技盤収容部を有する前枠と、非遊技領域の前方に配設される電気部品とを備えた遊技機に関し、さらに詳細には上記のような電気部品の取付構造に関する。
【背景技術】
【０００２】
上記のような遊技盤および前枠を備えた遊技機として、パチンコ機やアレンジボール機、雀球機などが広く知られている。この種の遊技機の代表例とされるパチンコ機では、遊技盤の前面側に内・外の案内レールに囲まれて遊技領域と非遊技領域とが区画形成されている。遊技領域には多数の遊技釘とともに風車、各種入賞具、画像表示装置などの遊技展開部品が設けられており、遊技球を遊技領域に打ち出して転動落下させ、入賞具に落入させて入賞状況に応じた賞球の払出を受けてゲームを行うように構成されている。案内レール外側の非遊技領域には、レール飾りあるいは電飾ユニットと称される電気装飾部品が配設され、ゲームの進行状況に応じて内蔵されたランプや発光ダイオード等の発光素子を点滅させて、ゲーム展開を盛り上げるように構成されている。
【０００３】
ここで、電気装飾部品は、外レールに隣接してその外側の非遊技領域に設けられることから、一般的に遊技盤の前面に取り付けられている。電気装飾部品は、発光素子およびコネクタが実装されたランプ基板と、ランプ基板を支持するベース部材と、ランプ基板の前面を覆ってベース部材に取り付けられるレンズ部材等からなり、遊技盤の組立性を考慮してアッセンブリ化されたうえ、遊技盤の基盤となる化粧板の前面側にネジ等により固定される。ベース部材および化粧板には、遊技盤の後方に配設されたランプ制御基盤から導かれるコネクタケーブルを電気装飾部品の内部に挿通させるケーブル挿通孔が形成されており、このケーブル挿通孔を通してコネクタケーブルを挿通させ、先端のコネクタをランプ基盤のコネクタに嵌合接続することで各発光素子がランプ制御基盤と電気的に接続され、発光素子の点滅作動が制御されるようになっている（例えば、特許文献１を参照）。
【特許文献１】特開２００３−１１７１９９号公報（第７頁、第２〜５図）
【発明の開示】
【発明が解決しようとする課題】
【０００４】
電気装飾部品に用いられる発光素子は、長時間の作動によって球切れや発光不良を生じることがあり、このようなときにランプ基盤の基盤交換または電気装飾部品のアッセンブリ交換が行われる。これらの交換作業は遊技盤の前方を覆うガラス扉を開放することでパチンコ機の前面側から行うことができるが、ランプ基盤にはコネクタケーブルが接続されており、一旦コネクタの嵌合を解除してコネクタケーブルを取り外し、交換作業を行う必要がある。
【０００５】
ところが、コネクタケーブルを取り外して交換作業を行っていると、その間に、ケーブルの曲がりぐせや重力によってコネクタケーブルが遊技盤の後方に脱落してしまうことがあった。このような場合には、前枠および裏セット盤を開放して脱落したコネクタケーブルを探し出し、ケーブル挿通孔を通して遊技盤の前面側に導出したうえ、ケーブルの先端部を屈曲させてケーブル挿通孔に引っ掛け、または粘着テープを利用してケーブル先端部を遊技盤の前面側に貼り付けて、この状態に注意しながら裏セット盤および前枠を閉鎖して交換作業を進めなければならないなど、本来の交換工数よりも二次的に発生する付帯工数の方が多大であるという問題があった。
【０００６】
本発明は、上記のような問題に鑑みてなされたものであり、非遊技領域の前方に配設される電気部品の交換作業を、容易かつ確実に行い得る電気部品の取付構造を提供することを目的とする。
【課題を解決するための手段】
【０００７】
上記目的達成のため、本発明は、前面側に遊技領域と非遊技領域とが区画形成された遊技盤と、この遊技盤の外形寸法に合わせて後方に立設され遊技盤の外周を囲む側枠部、および側枠部から内側に張出されて非遊技領域の前面を支持する前方枠部（例えば、実施形態におけるレール飾り取付部２２）からなる遊技盤収容部（例えば、実施形態における収容枠２０）を有し、遊技盤を後方から収容して遊技領域を前方に臨ませる前枠と、前方枠部の前面側に着脱可能に取り付けられる電気部品（例えば、実施形態におけるレール飾り４０）と、遊技盤の後方に設けられて電気部品を作動させる制御装置と、ケーブルの端部に設けられたケーブル側コネクタ部材（例えば、実施形態における第１プラグコネクタ５６ｃ）と電気部品に設けられた部品側コネクタ部材（例えば、実施形態における第１レセプタクルコネクタ４６ｃ）との嵌合により一端が電気部品に嵌脱自在にコネクタ接続され他端側が制御装置に電気接続されるコネクタケーブルとを備えた遊技機において、ケーブル側コネクタ部材及び部品側コネクタ部材は、嵌合軸と直交する断面形状が矩形であり、前方枠部に、ケーブル側コネクタ部材の短辺寸法よりもわずかに大きく長辺寸法よりも小さいスリット幅で、長辺寸法よりも大きなスリット長さのコネクタ導入孔が前方枠部を前後に貫通して開口形成されて、ケーブル側コネクタ部材における矩形の傾き方向をコネクタ導入孔におけるスリットの形成方向に合わせてスリット幅方向の中心を通過させた場合に限りケーブル側コネクタ部材がコネクタ導入孔を前後に挿通可能に構成され、ケーブル側コネクタ部材がコネクタ導入孔の前方に引き出された状態でコネクタケーブルが後方に移動したときに、ケーブル側コネクタ部材がコネクタ導入孔の周辺部と係合してコネクタケーブルの後方への抜け落ちが規制されるように遊技機用電気部品の取付構造が構成される。ここで、非遊技領域の前方に取り付けられる電気部品としては、前述した発光素子を備えた電気装飾部品の他、例えば、小型のスピーカや表示装置、ソレノイドあるいは電動モータで駆動される各種の仕掛けなどを含む電気部品をいう。
【０００８】
なお、部品側コネクタ部材は、ケーブル側コネクタ部材と前後方向に嵌脱自在な取り付け姿勢で電気部品の後面側に設けられ、コネクタ導入孔は、部品側コネクタ部材の背後に位置する前方枠部に部品側コネクタ部材の取付位置及び矩形の傾き方向に合わせて開口形成されて、前方枠部の前面側に前記電気部品が取り付けられた状態において部品側コネクタ部材の長辺側の側面がコネクタ導入孔の開口縁面に支持されるように構成することが好ましい。
【発明の効果】
【０００９】
本発明に係る電気部品の取付構造では、非遊技領域の前方に位置して非遊技領域の前面を支持するとともに電気部品が着脱可能に取り付けられる前方枠部が前枠に設けられ、この前方枠部にケーブル側コネクタ部材の横断面視における短辺寸法よりもわずかに大きく長辺寸法よりも小さいスリット幅で、長辺寸法よりも大きなスリット長さのコネクタ導入孔が開口形成されて、ケーブル側コネクタ部材における矩形の傾き方向をコネクタ導入孔におけるスリットの形成方向に合わせてスリット幅方向の中心を通過させた場合に限りケーブル側コネクタ部材がコネクタ導入孔を前後に挿通可能に構成され、ケーブル側コネクタ部材がコネクタ導入孔の前方に引き出された状態でコネクタケーブルが後方に移動したときに、ケーブル側コネクタ部材がコネクタ導入孔の周辺部と係合してコネクタケーブルの後方への抜け落ちが規制されるように構成される。このため、一般的には、ケーブル側コネクタ部材の角度姿勢をコネクタ導入孔に人為的に合わせなければコネクタ導入孔を通過させることができず、コネクタケーブルが前方枠部の前面側に引き出されると、コネクタケーブルが自重で後方に移動してもケーブル側コネクタ部材がコネクタ導入孔に引っかかってコネクタケーブルの抜け落ちが規制される。従って、電気部品の交換作業中にコネクタケーブルが遊技盤の後方に脱落してしまうようなことがなく、作業者は安心して電気部品の交換作業を行うことができる。
【００１０】
なお、部品側コネクタ部材がケーブル側コネクタ部材と前後方向に嵌脱自在な取り付け姿勢で電気部品の後面側に設けられ、コネクタ導入孔が部品側コネクタ部材の配設位置及び角度姿勢に合わせて開口形成され、前方枠部の前面側に電気部品が取り付けられた状態において部品側コネクタ部材の周辺がコネクタ導入孔の開口縁面に支持されるような構成によれば、電気部品の取付状態で部品側コネクタ部材の周辺が支持されるため、無理な引っ張りやコジリに対する抗力を高めることができる。
【発明を実施するための最良の形態】
【００１１】
以下、本発明の好ましい実施形態について図面を参照しながら説明する。本発明に係る電気部品の取付構造を適用した遊技機の一例として、図１および図２にパチンコ機ＰＭを例示しており、まずこれらの図面を参照してパチンコ機の全体概要について説明する。ここで、図１は遊技盤を取り外しガラス扉および上球皿を開放した状態におけるパチンコ機ＰＭおよび遊技盤の正面図、図２は遊技盤を取り外した状態における前枠および遊技盤の背面図である。なお両図では図面の煩雑化を避けるため裏セット盤の記載を省略している。また、説明の都合上用いる前後左右等の方向は、原則としてパチンコ機ＰＭを正面から見たときの方向（図１に示す方向）をもって前後左右と称して説明する。
【００１２】
パチンコ機ＰＭは、外郭方形枠サイズに構成された固定保持用の外枠１の前面側に、この外枠１の前側開口面域に合わせた方形枠サイズの開閉搭載用の前枠２が、正面視における互いの左側縁上下に配設された前枠ヒンジ機構３（３Ｕ，３Ｌ）により前方に横開き開閉および着脱が可能に取り付けられ、正面右側に設けられた施錠装置４を利用して、常には外枠１と係合された閉鎖状態に保持される。
【００１３】
前枠２の前面上部には、前枠２の前側面域に合わせた方形状のガラス扉５および上球皿６が前方に横開き開閉および着脱可能に取り付けられ、その下方に遊技球を貯留する下球皿７および遊技球の発射操作を行う発射ハンドル８が取り付けられている。一方、前枠２の後面上部には、ガラス扉５の背後に位置して遊技盤３０を着脱可能に収容保持する収容枠２０が形成され、その下方には発射ハンドル８の回動操作に基づいて遊技球を発射する遊技球発射装置９が設けられている。
【００１４】
遊技盤３０は、積層合板の前面側にセルが貼付された化粧板３１を基盤として構成される。遊技盤３０の前面側には、内レール３２Ａおよび外レール３２Ｂに囲まれてその内側に略円形の遊技領域ＰＡが、その外側に非遊技領域ＰＯが区画形成される。遊技領域ＰＡには、多数本の遊技釘とともに風車、各種入賞具３３、画像表示装置３４、サイドランプ３５等が所定のゲージ設定に基づいて配設され、下端にはこの領域を落下した遊技球を化粧板３１の裏面側に排出するアウト口３８が設けられている。遊技盤３０の後面側には、入賞具３３に落入して化粧板３１の裏面側に排出された遊技球を案内する球寄せカバー３９、画像表示装置３４の作動を制御する表示制御基板６４、サイドランプ３５やレール飾り４０に内蔵された発光素子の作動を制御する第１ランプ制御基板６６、第２ランプ制御基板６７などが取り付けられている。
【００１５】
前枠２の後面側には、収容枠２０にセット保持された遊技盤３０の後方に位置して、裏セット盤が横開き開閉および着脱可能に配設される。裏セット盤についての詳細図示は省略するが、遊技球を貯留する球貯留タンク、球貯留タンクから導かれた遊技球を所定の入賞状態に基づいて払い出す球払出装置、球払出装置から払い出された遊技球を上下の球皿６，７に導く球払出通路、遊技盤の裏面側に排出されたアウト球およびセーフ球を遊技施設側の回収バケットに流下させる遊技済み球排出通路などが設けられている。また裏セット盤の後面側には電源基板や主制御基板、払出制御基板などの各種回路基板が取り付けられており、裏セット盤を遊技盤３０の後面を覆うように前枠２に閉止して、各回路基板と電気・電子部品とを配線接続することで遊技作動が可能に設定される。
【００１６】
さて、以上のように概要構成されるパチンコ機ＰＭにあって、収容枠２０は、化粧板３１の形状寸法に合わせて後方に立設された側枠部２１と、周囲の枠部から開口の内側に張出されて化粧板３１の前面を支持する前方枠部としての機能を兼ね備えるレール飾り取付部２２とを主体として構成され、前枠２と一体に成型されている。
【００１７】
レール飾り取付部２２の開口形状は、正面左下の角部を除いて、案内レール３２（内レール３２Ａおよび外レール３２Ｂ）の輪郭に合わせて、これよりも幾分大きめに開口形成されている。このレール飾り取付部２２を含む収容枠２０の上下２箇所には、前方の支持面から先端テーパー状の位置決めピン２０ｐが後方に突出成型されており、化粧板３１の整合位置に前後貫通して穿設されたピン孔３０ｐと嵌合して遊技盤３０を上下左右の所定位置に位置決め可能になっている。また左右の側枠部２１には、収容枠２０に収容した化粧板３１の後面と係脱可能に係合して遊技盤を固定する閉鎖クランプ２９が複数箇所設けられている。
【００１８】
このため、遊技盤３０を前枠２の後方から収容枠２０に収容させると、まず側枠部２１が化粧板３１の下面および左右側面を支持して化粧板３１を上下左右に概略位置合わせし、案内レール３２より内側の領域がレール飾り取付部２２の開口を通って前方に出るように案内する。次いで上下の位置決めピン２０ｐがピン孔３０ｐと係合し、化粧板３１の前方移動とともに遊技盤３０を上下左右の所定位置に位置決めする。そして化粧板３１の前面がレール飾り取付部２２の後面に当接すると遊技盤３０は前後方向にも位置決めされ、この状態で閉鎖クランプ２９を閉止位置に回動することで、遊技盤３０が上下左右および前後に位置決めされて収容枠２０にセット保持される。
【００１９】
これにより、遊技盤３０の遊技領域ＰＡがレール飾り取付部２２の内周側に位置して配設され、前枠２の前方から視認可能に配設される。一方、遊技盤３０における遊技領域ＰＡの外側、すなわち非遊技領域ＰＯでは、正面左下の角部を除いて、前方にレール飾り取付部２２が配設される。
【００２０】
そして、このレール飾り取付部２２の前面側に、レール飾り４０が取り付けられる。レール飾り４０は、大別的には、正面左上の第１レール飾り４０Ａ、右上の第２レール飾り４０Ｂ、右下の第３レール飾り４０Ｃからなり、本実施例では遊技盤３０の左下部に証紙ベース４０Ｄを設けた例を示している。以下、図３〜図１３の各図を参照しながらレール飾り４０について説明する。
【００２１】
ここで、図３〜図１３の各図について、予め簡単に説明すると、図３，図４，図５はそれぞれ第１，第２，第３レール飾り４０Ａ，４０Ｂ，４０Ｃの正面図、図６，図７，図８，図９はそれぞれ第１，第２，第３レール飾り４０Ａ，４０Ｂ，４０Ｃおよび証紙ベース４０Ｄの平断面図、図１０は図３中のX矢視方向に見た第１レール飾り４０Ａの側断面図、図１１は図４中のXI矢視方向に見た第２レール飾り４０Ｂの側断面図、図１２は図５中のXII矢視方向に見た第３レール飾り４０Ｃの側断面図、図１３は図９中のXIII矢視方向に見た証紙ベース４０Ｄの側断面図である。
【００２２】
第１レール飾り４０Ａは、正面視略三角形の第１レンズ部材４１と、この第１レンズ部材４１の背面に組み付けられた第１ランプ基板４６とを主体として構成される。第１レンズ部材４１は、前面のレンズ体４１ａとその周囲を囲んで後方に延びるリブ状の周壁部４１ｂとを有して後面開放の皿形態をなし、有色透明の樹脂材料を射出成型して形成される。レンズ体４１ａの背面側には第１ランプ基板４６を支持するボス（図１１、ボス４２ｄを参照）が後方に突出成型され、またレンズ体の周縁近傍には第１レンズ部材４１をねじ止めするためのサラ孔形態のネジ挿通孔４１ｅが複数形成されている。
【００２３】
第１ランプ基板４６は、前後面に配線パターンがプリントされた略三角形の第１基板４６ａを基体とし、この第１基板４６ａの前面側に発光ダイオード等の複数の発光素子４６ｂおよび抵抗体、後面側に基板直交方向に嵌合軸を持つ第１レセプタクルコネクタ４６ｃなどが実装されて構成される。第１ランプ基板４６は第１基板４６ａの前面側をレンズ体４１ａに向けてボスに支持させ、後方からネジを螺合締結することにより第１レンズ部材４１に組み付けられてアッセンブリ化される。
【００２４】
第２レール飾り４０Ｂおよび第３レール飾り４０Ｃは、上下一体でアーチ状に形成された第２レンズ部材４２と、この第２レンズ部材４２の上部に取り付けられた第２ランプ基板４７、下部に取り付けられた第３ランプ基板４８、第２ランプ基板４７と第３ランプ基板４８とを接続する第３コネクタケーブル５８等を主体として構成される。第２レンズ部材４２は、前面のレンズ体４２ａと後方に延びるリブ状の周壁部４２ｂと返しゴム４２ｇの収容部４２ｃとを有して後面開放の連結皿形態をなし、第１レンズ部材４１と同様の樹脂材料を射出成型して形成される。
【００２５】
レンズ体４２ａの背面側には、第２ランプ基板４７を支持するボス４２ｄおよび第３ランプ基盤を支持するボスが後方に突出成型され、またレンズ体４２ａの周縁各部には第２レンズ部材４２をねじ止めするためのサラ孔形態のネジ挿通孔が複数形成されている。返しゴム４２ｇから下方の周壁部の一部は内レール３２Ａと外レール３２Ｂとの間を繋いで遊技領域ＰＡを区画する壁面としても機能する。また第３レール飾り４０Ｃの前面には、第１号証紙を粘付する１号証紙貼り付け部４２ｆが形成されている。なお、第１、第２レンズ部材４１，４２はそれぞれ複数の部材（例えば色彩が異なる複数のレンズ体）を組み合わせて形成してもよい。
【００２６】
第２ランプ基板４７は、配線パターンがプリントされた略三角形の第２基板４７ａを基体とし、この第２基板４７ａの前面側に複数の発光素子４７ｂ、抵抗体、基板面に沿う方向に嵌合軸を持つ第３レセプタクルコネクタ、後面側に基板直交方向に嵌合軸を持つ第２レセプタクルコネクタ４７ｃなどが実装されている。第３ランプ基板４８は、配線パターンがプリントされた細長い台形状の第３基板４８ａと、この第３基板４８ａの前面側に実装された複数の発光素子４８ｂ、抵抗体、基板面に沿う方向に嵌合軸を持つ第３レセプタクルコネクタ４８ｄなどからなり、レンズ体４２ａの背面下部に形成されたボスにネジ固定される。
【００２７】
第２ランプ基板４７および第３ランプ基板４８は各基板の前面側をレンズ体４２ａに向けてボスに支持させ、後方からネジを螺合締結することにより第２レンズ部材４２に組み付けられ、両基板４７，４８の第３レセプタクルコネクタを第３コネクタケーブル５８で接続することにより一体にアッセンブリ化される。
【００２８】
一方、レール飾り取付部２２には、第１レンズ部材４１、第２レンズ部材４２に形成されたネジ挿通孔と位置整合して各レンズ部材のレンズ体背面を当接支持するネジボス２３が前方に突出成型されており、上方のネジボス２３は第１、第２レンズ部材の周壁部４１ｂ，４２ｂを支持し得るようになっている。このため、アッセンブリ化された第１レール飾り４０Ａ、第２および第３レール飾り４０Ｂ，４０Ｃの取付時には、上方のネジボス２３に周壁部４１ｂ，４２ｂを掛止してレンズ部材４１，４２を仮支持させることができ、仮支持状態で前面側からサラ小ネジ４９を螺合することで、各レール飾り４０Ａ、４０Ｂ、４０Ｃをレール飾り取付部２２に容易に取り付けることができる。
【００２９】
また、レール飾り取付部２２には、上記のように第１レール飾り４０Ａ、第２および第３レール飾り４０Ｂ，４０Ｃを取り付けた状態における、第１レセプタクルコネクタ４６ｃの配設位置に合わせてこの取付部の壁面を前後に貫通する第１ケーブル挿通孔２６が形成され、第２レセプタクルコネクタ４７ｃの配設位置に合わせて第２ケーブル挿通孔２７が形成されている。さらに、レール飾り取付部２２の後方に収容保持される遊技盤３０にも、第１ケーブル挿通孔２６と位置整合して化粧板３１を前後に貫通する第１ケーブル挿通孔３６、および第２ケーブル挿通孔２７と位置整合して化粧板３１を前後に貫通する第２ケーブル挿通孔３７が形成されている。各ケーブル挿通孔はプラグコネクタを指摘み可能な大きさを有し、またレール取付部のケーブル挿通孔よりも化粧板側のケーブル挿通孔の方が大きな開口を有して形成されている。
【００３０】
このため、レール飾り取付部２２の前面側にレール飾り４０Ａ，４０Ｂ，４０Ｃを取り付け、レール飾り取付部２２の後面側の収容枠２０に遊技盤３０を収容保持させると、第１レセプタクルコネクタ４６ｃが第１ケーブル挿通孔２６，３６の中央に位置して化粧板３１の裏面側から嵌脱操作可能に配設され、第２レセプタクルコネクタ４７ｃが第２ケーブル挿通孔２７，３７の中央に位置して化粧板３１の裏面側から嵌脱操作可能に配設される。
【００３１】
第１ランプ基板４６は、一端に第１レセプタクルコネクタ４６ｃと嵌脱自在な第１プラグコネクタ５６ｃを有し他端側が第１ケーブル５６ａを介して第１ランプ制御基板６６に接続された第１コネクタケーブル５６をコネクタ接続することで、第１ランプ制御基板６６と電気的に接続される。また、第２ランプ基板４７は、一端に第２レセプタクルコネクタ４７ｃと嵌脱自在な第２プラグコネクタ５７ｃを有し他端側が第２ケーブル５７ａを介して第２ランプ制御基板６７に接続された第２コネクタケーブル５７をコネクタ接続することで、第２ランプ制御基板６７と電気的に接続される。第３ランプ基板４８は、第２ランプ基板４７と第３ランプ基板４８との間を繋ぐ第３コネクタケーブル５８により第２ランプ基板４７と電気的に接続されており、第２ランプ基板４７に第２コネクタケーブル５７をコネクタ接続することで、第２基板４７ａに形成された回路および第２コネクタケーブル５７を介して第２ランプ制御基板６７と電気的に接続される。
【００３２】
このため、遊技盤３０を収容枠２０に装着する際には、まず前枠２の後方から遊技盤３０を収容枠２０に収容し、閉鎖クランプ２９により遊技盤３０を収容保持させたうえ、第１プラグコネクタ５６ｃを摘んで第１ケーブル挿通孔３６，２６内に配設された第１レセプタクルコネクタ４６ｃに嵌合接続し、第２プラグコネクタ５７ｃを摘んで第２ケーブル挿通孔３７，２７内に配設された第２レセプタクルコネクタ４７ｃに嵌合接続すればよい（図６，図７，図１０(ｂ)，図１１を参照）。
【００３３】
また遊技盤３０を収容枠２０から取り外す際には、第１プラグコネクタ５６ｃを摘んで第１レセプタクルコネクタ４６ｃとの嵌合を解除させるとともに、第２プラグコネクタ５７ｃを摘んで第２レセプタクルコネクタ４７ｃとの嵌合を解除し、閉鎖クランプ２９を解放して遊技盤３０を後方に取り外せばよい（同上）。
【００３４】
一方、第１レール飾り４０Ａのアッセンブリ交換または第１ランプ基板４６の交換は前枠２の前方から行われる。第１レール飾り４０Ａを取り外す際には、まず第１レンズ部材４１を固定しているサラ小ネジを緩め、アッセンブリ化された第１レール飾り４０Ａを前方に引き出す。このとき、第１レセプタクルコネクタ４６ｃには第１プラグコネクタ５６ｃが嵌合接続された状態にあり、第１コネクタケーブル５６はケーブル長さの余裕に応じて第１ケーブル挿通孔２６，３６を通って前方に引き出される（図１０(ｂ)を参照）。そこで、第１プラグコネクタ５６ｃを摘んで第１レセプタクルコネクタ４６ｃとの嵌合を解除し、第１レール飾り４０Ａを取り外す。
【００３５】
ここで、新たな第１レール飾りを準備し、あるいは取り外した第１レール飾りの第１ランプ基板４６を交換するために、第１コネクタケーブル５６をそのまま放置すると、第１コネクタケーブル５６がケーブルの自重や曲がりぐせによって第１ケーブル挿通孔２６，３６を通って遊技盤３０の後方に脱落してしまうおそれがある。このことは、第１レール飾り４０Ａの交換または基板交換と同様の作業手順で行われる第２，第３レール飾り４０Ｂ，４０Ｃの一体交換または各基板交換時の第２コネクタケーブル５７についても同様である。
【００３６】
そこで、パチンコ機ＰＭではレール飾り取付部２２に、第１コネクタケーブル５６または第２コネクタケーブル５７（以下、両者を総称して「コネクタケーブル」という）を仮止めする仮止め構造１００が設けられている。仮止め構造１００は、第１ケーブル挿通孔２６または第２ケーブル挿通孔２７（同様に、「ケーブル挿通孔」という）を通ってレール飾り取付部２２の前面側に導出されたコネクタケーブル５６，５７を掛止して、コネクタケーブル５６，５７がケーブル挿通孔２６，２７を通って遊技盤３０の後方に落下しないように仮止めする機構である。
【００３７】
仮止め構造１００の具体的な実施例１０１〜１０４を図１４に示しており、以下、この図１４を含めて参照しながら仮止め構造の各実施例について説明する。なお、図１４中の(１)(２)(３)は仮止め構造の構成形態を示し、(Ａ)(Ｂ)はそれぞれ第１レール飾り４０Ａ，第２レール飾り４０Ｂに適用した場合の適用例を示している。なお、各図では仮止め構造により係止された状態のプラグコネクタと、レセプタクルコネクタに嵌合接続された状態のプラグコネクタとを併記している。
【００３８】
図１４(１)に示す仮止め構造１０１は、ケーブル挿通孔２６，２７の孔部に、内側に張り出して上方に開口する掛止フック１１０を一体成型した形態の構成例である。掛止フック１１０は、ケーブル挿通孔２６，２７の側面から内側に突出する基部１１１と、この基部から上方に延びて左右に弾性変移可能な腕部１１２と、腕部の上端に形成された楔状の鉤部１１３とからなり、上方の開口からフック内にケーブル５６ａ，５７ａを嵌入することで、基部１１１でケーブルを支持し腕部１１２および鉤部１１３でケーブルを挟み込んで掛止する。また、コネクタケーブル５６，５７が後方に引かれたときには、プラグコネクタ５６ｃ，５７ｃが掛止フック１１０の前端面と係合し、コネクタケーブル５６，５７の後方への抜け落ちを規制する。
【００３９】
図１４(２)に示す仮止め構造１０２は、ケーブル挿通孔２６，２７の側部に、前方に張り出して上方に開口する掛止フック１２０を一体成型した形態の構成例である。掛止フック１２０は、ケーブル挿通孔２６，２７の側方に位置してレール飾り取付部２２側面から前方に突出する基部１２１と、この基部から上方に延びて前後に弾性変移可能な腕部１２２と、腕部の上端に形成された楔状の鉤部とからなり、上方の開口からフック内にケーブル５６ａ，５７ａを嵌入することで、基部１２１でケーブルを支持し腕部１２２および鉤部でケーブルを挟み込んで掛止する。また、コネクタケーブル５６，５７が後方に引かれたときには、プラグコネクタ５６ｃ，５７ｃが掛止フック１２０の側端面と係合し、コネクタケーブル５６，５７の後方への抜け落ちを規制する。なお、図１４(２)(ａ)(ｂ)からも明らかなように、仮止め構造１０２を含む各仮止め構造では、一定範囲でケーブル線数の増減やプラグコネクタの極数の増減があっても掛止可能な形状寸法に構成されている。
【００４０】
図１４(３)(ａ)に示す仮止め構造１０３は、ケーブル挿通孔２６に、コネクタケーブルのプラグコネクタ５６（５７）を掛止するコネクタ導入孔１３０を形成した形態の構成例である。コネクタ導入孔１３０は、レセプタクルコネクタの配設位置および断面形状に合わせた十字スリット状に形成されており、そのスリット幅は、レセプタクルコネクタ４６ｃ（４７ｃ）の幅と同等若しくはこれより幾分大きめに設定され、レール飾りの取付状態でレセプタクルコネクタの周辺を支持して無理な引っ張りやコジリに対する抗力を高めた構成になっている。
【００４１】
そしてプラグコネクタ５６ｃ（５７ｃ）が一旦レール飾り取付部２２の前面側に導出されると、プラグコネクタの方位角方向がコネクタ導入孔のスリット方向と一致し、かつプラグコネクタの嵌合軸が左右または上下に傾くことなくコネクタ導入孔１３０の中心を通過する場合に限って、このコネクタ導入孔１３０を後方に通り抜けることができる。このため、一般的には、プラグコネクタ５６ｃをコネクタ導入孔１３０に人為的に合わせて通過させなければこの導入孔を前後に移動することができず、コネクタケーブル５６ｃがレール飾り取付部２２の前面側に引き出されると、たとえばケーブル５６ａが自重でレール飾り取付部２２の後方に移動しても、プラグコネクタ５６ｃがコネクタ導入孔１３０に引っかかって、コネクタケーブル５６全体が後方に抜け落ちることを規制する。
【００４２】
図１４(３)(ｂ)に示す仮止め構造１０４は、ケーブル挿通孔２７の孔部側面に、コネクタケーブルのケーブル５７ａ（５６ａ）を挟み込むケーブルスリット１４０を形成した形態の構成例である。ケーブルスリット１４０のスリット幅および奥行きは、このケーブル挿通孔２７を通るコネクタケーブル５７のケーブル５７ａ（５６ａ）の外形寸法に合わせて形成されており、例えば、第２ケーブル５７ａが４本の撚り線からなる場合には、スリット幅が各撚り線の外形と同一またはこれより幾分小さめに設定され、奥行きが４本の撚り線を並べたときの合計寸法よりも大きめに設定されている。このため、ケーブルスリット１４０にケーブルを嵌入することでケーブル５７ａが挟み込まれて掛止され、コネクタケーブル５７が後方に引かれたときには、プラグコネクタ５７ｃがケーブルスリット１４０の前端面と係合してコネクタケーブル５７の後方への抜け落ちが規制される。
【００４３】
このため、前述したように第１レール飾り４０Ａを取り外して、第１コネクタケーブル５６をレール飾り取付部２２の前方に引き出し、第１レセプタクルコネクタ４６ｃのコネクタ接続を解除したときには、取り外した第１コネクタケーブル５６を上述した仮止め構造１００（１０１〜１０４）を利用して掛止することができ（例えば図１０(ａ)に二点鎖線で付記するコネクタケーブル５６を参照）、これにより第１コネクタケーブル５６が遊技盤３０の後方に脱落してしまうようなことがない。従って、作業者は安心して新たな第１レール飾り４０Ａを準備し、あるいは第１ランプ基板４６の交換作業を行うことができる。
【００４４】
そして、新たな第１レール飾り４０Ａまたは基板交換を終了した第１レール飾り４０Ａが準備できたときに、第１コネクタケーブル５６の掛止を解除して第１プラグコネクタ５６ｃを第１レセプタクルコネクタ４６ｃに嵌合接続し、第１レンズ部材４１をネジボス２３に仮支持させて、ネジ挿通孔４１ｅにサラ小ネジ４９をねじ込むことで、第１レール飾り４０Ａの交換作業、または第１ランプ基板４６の交換作業を完了することができる（図１０(ｂ)を参照）。
【００４５】
第２，第３レール飾り４０Ｂ，４０Ｃのアッセンブリ交換、または第２ランプ基板４７あるいは第３ランプ基板４８の交換作業についても、上記第１レール飾り４０Ａの場合と同様に行うことができ、第２コネクタケーブル５７を仮止め機構１００に掛止することで、第２コネクタケーブル５７が遊技盤３０の後方に脱落してしまう事態を防止して、作業者が安心してレール飾りの交換作業を行うことができる。
【００４６】
従って、以上説明したような仮止め構造１００を備えたパチンコ機ＰＭによれば、レール飾り４０の交換作業時にコネクタケーブルの後方脱落に伴うケーブル捜索作業等の二次的な付帯工数を発生させることがなく、レール飾りの交換作業を容易かつ確実に行うことができる。またレール飾り取付部２２が前枠２に一体成型され、かつ遊技盤３０の前面を支持する支持枠の機能をも兼ね備えているため、各部の構成を簡明化して部材コストおよび組立工数を削減し、生産コストを低減することができる。
【００４７】
また、近年では、遊技機の本体部分を流用しつつ遊技盤および主制御基板等を交換して新機種に更新する「盤面換え」と称される入れ替え形態が多く見られるようになっている。盤面換えでは化粧板を含む遊技盤の構成が大きく変更されるのが常であるが、一般的にレール飾りは機種によらず共通部品とされており、その形態が変更されることは稀である。本パチンコ機のようなレール飾り取り付け構造によれば、複数回の盤面換えに対しても共通部品であるレール飾り４０Ａ〜４０Ｃをそのまま流用することができ、盤面換えに要する費用を節減するとともに利用可能な資源を有効活用することができる。
【００４８】
ところで、パチンコ機やスロットマシンなどのように、特定の遊技施設に所定の許認可を受けて設置される遊技機では、遊技機が不正行為に供されることがないように、当該遊技機を特定する証紙が遊技機１台ごとに貼付され、この証紙により遊技機が廃却されるまで厳密に管理されている。パチンコ機のように遊技盤が着脱可能に構成される遊技機では、パチンコ機本体を特定する第１号証紙と遊技盤を特定する第２号証紙とが工場出荷時に貼付されており、以降これらの証紙により遊技機の管理が行われている。
【００４９】
ここで遊技機本体を特定する第１号証紙は、パチンコ機の基体となる前枠２に貼付することが好ましいが、パチンコ機の前面側にはガラス扉５や上下の球皿６，７が配設されるため証紙台を設けるスペースを確保することが難しく、一般的には前枠２の後面側下部に貼り付けられている。ところが、このような位置に貼り付けられた第１号証紙は、パチンコ機ＰＭの正面から視認することができないため、確認するためには前枠２を開放しなければならず、必然的に遊技施設の営業時間中は確認作業を行えないという問題があった。
【００５０】
そこで、本パチンコ機では、前枠２に固定される第３レール飾り４０Ｃの前面側に１号証紙貼り付け部４２ｆを設け、ここに第１号証紙４３を貼り付けるように構成している。また、遊技盤３０の左下部に証紙ベース４０Ｄを設け、ここに第２号証紙４４を貼り付けるように構成している（図１を参照）。なお証紙ベース４０Ｄは、既述した第１レンズ部材４１と同様に、レンズ体と周壁面とを有して概略三角形の皿形態に形成され、この証紙ベース４０Ｄに形成されたネジボスを通してサラ小ネジを締め込むことにより、化粧板３１の左下部に外レール３２Ｂに沿って固定される。
【００５１】
こうして前枠２側に貼り付けられた第１号証紙４３、遊技盤３０側に貼り付けられた第２号証紙４４は、ガラス扉５を閉鎖したときにガラス板の背後に位置しており、遊技提供状態においてもパチンコ機ＰＭの正面からともに視認可能である。このため、第１号証紙４３および第２号証紙４４を確認するために、逐一前枠２やガラス扉５を開放する必要がなく、遊技施設の営業時間中であっても一目で確認作業を行うことができる。
【００５２】
なお、以上では、レール飾り４０を左右に２分割して第２レール飾り４０Ｂと第３レール飾り４０Ｃとを一体のアッセンブリに形成した例を示したが、レール飾りを上下に２分割して第１レール飾り４０Ａと第２レール飾り４０Ｂとを一体のアッセンブリに形成してもよく、あるいは第１，第２，第３レール飾り４０Ａ，４０Ｂ，４０Ｃ全体を一体のアッセンブリに形成してもよい。図１５および図１６には、このようなレール飾りにおけるレンズ部材４５の構成例を、中央上部の正面図および側断面図として示す。
【００５３】
このレンズ部材４５では、前面のレンズ体４５ａとその周囲を囲んで後方に延びるリブ状の周壁部４５ｂとを有し、上部中央の周壁部４５ｂにはレール飾り取付部２２のネジボス２３と係脱自在な半円弧状のボス係合部４５ｃが形成されている。また前面のレンズ体４５ａが周壁部４５ｂよりも内周側に突出してリブ状の庇部４５ｄが形成されている。
【００５４】
このため、ボス係合部４５ｃをネジボス２３に掛止することで、レンズ部材４５を左右方向に位置決めしつつバランスよく仮支持させることができ、サラ小ネジ４９で簡単にネジ固定することができる。また、庇部４５ｄが外レール３２Ｂ（内レール３２Ａ）の前方で遊技領域ＰＡの内方に突出配設されるため、レール端面を覆って意匠的効果を向上させ得るとともに、遊技球発射装置９により発射された遊技球を遊技領域ＰＡ内の盤面方向に導いてガラス板に直接衝突する頻度を低減させることができる。
【００５５】
なお、以上説明した各実施例では、遊技盤３０の後面に第１，第２ランプ制御基板６６，６７を設け、これらのランプ制御基板と第１，第２ランプ基板４６，４７とをコネクタケーブル５６，５７で直接接続した例を示したが、例えばランプ制御基板は裏セット盤３０に設けてもよく、中継基板や中継コネクタを介してランプ基板４６，４７に接続する形態であってもよい。また、実施例ではランプ基板側にレセプタクルコネクタを実装した例を示したが、プラグコネクタとレセプタクルコネクタの配設関係は逆であってもよい。さらに非遊技領域の前方に設けられる電気部品の一例としてレール飾り４０を示したが、電気部品はこのような電気装飾部品に限るものではなく、例えば、小型のスピーカや表示装置、ソレノイドあるいは電動モータで駆動される種々の仕掛けなどであってもよい。
【図面の簡単な説明】
【００５６】
【図１】本発明に係る電気部品の取付構造を備えた遊技機の一例として示すパチンコ機の正面図であって、遊技盤を取り外してガラス扉および上球皿を開放した状態におけるパチンコ機および遊技盤の正面図である。
【図２】遊技盤を取り外した状態における前枠および遊技盤の背面図である。
【図３】第１レール飾りの正面図である。
【図４】第２レール飾りの正面図である。
【図５】第３レール飾りの正面図である。
【図６】第１レール飾りの平断面図である。
【図７】第２レール飾りの平断面図である。
【図８】第３レール飾りの平断面図である。
【図９】証紙ベースの平断面図である。
【図１０】図３中のX矢視方向に見た第１レール飾りの側断面図である。
【図１１】図４中のXI矢視方向に見た第２レール飾りの側断面図である。
【図１２】図５中のXII矢視方向に見た第３レール飾りの側断面図である。
【図１３】図９中のXIII矢視方向に見た証紙ベース４０Ｄの側断面図である。
【図１４】仮止め構造の構成例を示す正面図である。
【図１５】レンズ部材の他の構成例を示す中央上部の正面図である。
【図１６】レンズ部材の他の構成例を示す中央上部の側断面図である。
【符号の説明】
【００５７】
ＰＡ  遊技領域
ＰＯ  非遊技領域
ＰＭ  パチンコ機（遊技機）
１  外枠
２  前枠
２０  収容枠（遊技盤収容部）
２１  側枠部
２２  レール飾り取付部（前方枠部）
２６  第１ケーブル挿通孔
２７  第２ケーブル挿通孔
３０  遊技盤
４０  レール飾り（電気部品）
（４０Ａ  第１レール飾り、４０Ｂ  第２レール飾り、４０Ｃ  第３レール飾り、４０Ｄ  証紙ベース）
４６  第１ランプ基板
４６ｃ  第１レセプタクルコネクタ（部品側コネクタ部材）
４７  第２ランプ基板
４７ｃ  第２レセプタクルコネクタ（部品側コネクタ部材）
５６  第１コネクタケーブル
５６ｃ  第１プラグコネクタ（ケーブル側コネクタ部材）
５７  第２コネクタケーブル
５７ｃ  第２プラグコネクタ（ケーブル側コネクタ部材）
６６  第１ランプ制御基板（制御装置）
６７  第２ランプ制御基板（制御装置）
１００（１０１，１０２，１０３，１０４）  仮止め構造
１１０  掛止フック（１１１  基部、１１２  腕部、１１３  鉤部）
１２０  掛止フック（１２１  基部、１２２  腕部）
１３０  コネクタ導入孔
１４０  ケーブルスリット
【図１】
2008136879.tif 000003
【図２】
2008136879.tif 000004
【図３】
2008136879.tif 000005
【図４】
2008136879.tif 000006
【図５】
2008136879.tif 000007
【図６】
2008136879.tif 000008
【図７】
2008136879.tif 000009
【図８】
2008136879.tif 000010
【図９】
2008136879.tif 000011
【図１０】
2008136879.tif 000012
【図１１】
2008136879.tif 000013
【図１２】
2008136879.tif 000014
【図１３】
2008136879.tif 000015
【図１４】
2008136879.tif 000016
【図１５】
2008136879.tif 000017
【図１６】
2008136879.tif 000018